【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
静電容量式タッチセンサシステムであって、
複数のチャネルを有する第１の制御部と、
第１の方向に沿って延びる第１のセンサ行であって、第１のディスクリートセンサ素子と第２のディスクリートセンサ素子とを有する第１のセンサ行と、
第１の方向に沿って延びる第２のセンサ行であって、第１のディスクリートセンサ素子と第２のディスクリートセンサ素子とを有する第２のセンサ行と、
第２の方向に沿って延びる第１のセンサ列と、
第２の方向に沿って延びる第２のセンサ列と、
前記第１の制御部における複数のチャネルのうちの第１のチャネルと第１のセンサ行における第１のディスクリートセンサ素子及び前記第１のセンサ行における第２のディスクリートセンサ素子とを電気的に結合させる第１の信号線と、を備える静電容量式タッチセンサシステム。
【請求項２】
静電容量式タッチセンサシステムであって、
複数のチャネルを有する第１の制御部と、
第１の方向に沿って延びる第１のセンサ行であって、第１のディスクリートセンサ素子と第２のディスクリートセンサ素子とを有する第１のセンサ行と、
第１の方向に沿って延びる第２のセンサ行であって、第１のディスクリートセンサ素子と第２のディスクリートセンサ素子とを有する第２のセンサ行と、
第２の方向に沿って延びる第１のセンサ列と、
第２の方向に沿って延びる第２のセンサ列と、
第１の制御部における複数のチャネルのうちの第１のチャネルと第１のセンサ行における第１のディスクリートセンサ素子及び第１のセンサ行における第２のディスクリートセンサ素子とを電気的に結合させる手段と、を備える静電容量式タッチセンサシステム。
【請求項３】
複数のチャネルを有する第２の制御部をさらに備える、請求項１又は２に記載の静電容量式タッチセンサシステム。
【請求項４】
第２の制御部における複数のチャネルのうちの第１のチャネルと第２のセンサ行における第１のディスクリートセンサ素子及び第２のセンサ行における第２のディスクリートセ
ンサ素子とを電気的に結合させる第２の信号線をさらに備える、請求項３に記載の静電容量式タッチセンサシステム。
【請求項５】
第１のセンサ列は第１のディスクリートセンサ素子及び第２のディスクリートセンサ素子を備えており、
第１の制御部における前記複数のチャネルは第２のチャネルを備えており、
第２の制御部における複数のチャネルは第２のチャネルを備えており、
前記静電容量式タッチセンサシステムは、
第１の制御部における第２のチャネルと第１のセンサ列における第１のディスクリートセンサ素子とを電気的に結合させる第３の信号線と、
第２の制御部における第２のチャネルと第１のセンサ列における第２のディスクリートセンサ素子とを電気的に結合させる第４の信号線と、をさらに備える、請求項４に記載の静電容量式タッチセンサシステム。
【請求項６】
第２のセンサ列は第１のディスクリートセンサ素子及び第２のディスクリートセンサ素子を備えており、
第１の制御部における複数のチャネルは第３のチャネルを備えており、
第２の制御部における複数のチャネルは第３のチャネルを備えており、
前記静電容量式タッチセンサシステムは、
第２のセンサ列における第１のディスクリート素子と第１の制御部における第３のチャネルとを電気的に結合させる第５の信号線と、
第２のセンサ列における第２のディスクリート素子と第２の制御部における第３のチャネルとを電気的に結合させる第６の信号線と、をさらに備える、請求項５に記載の静電容量式タッチセンサシステム。
【請求項７】
第１のセンサ列は第１のディスクリートセンサ素子及び第２のディスクリートセンサ素子を備えており、
第１の制御部における複数のチャネルは第２のチャネルを備えており、
前記静電容量式タッチセンサシステムは、
第１制御部における第２のチャネルと第１のセンサ列における第１のディスクリート素子及び第１のセンサ列における第２のディスクリート素子とを電気的に結合させる第３の信号線と、
第４の信号線と、をさらに備える、請求項４に記載の静電容量式タッチセンサシステム。
【請求項８】
第２のセンサ列は第１のディスクリートセンサ素子及び第２のディスクリートセンサ素子を備えており、
第２の制御部は第２のチャネルを備えており、
前記静電容量式タッチセンサシステムは、
第２の制御部における第２のチャネルと第２のセンサ列における第１のディスクリートセンサ素子及び第２のセンサ列における第２のディスクリートセンサ素子とを電気的に結合させる第４の信号線をさらに備える、請求項７に記載の静電容量式タッチセンサシステム。
【請求項９】
第１の制御部における第２のチャネルと第２のセンサ行における第１のディスクリートセンサ素子及び第２のセンサ行における第２のディスクリートセンサ素子とを電気的に結合させる第２の信号線をさらに備える、請求項１又は２に記載の静電容量式タッチセンサシステム。
【請求項１０】
第１のセンサ列は第１のディスクリートセンサ素子及び第２のディスクリートセンサ素子を備えており、
第１の制御部における複数のチャネルは第３のチャネルを備えており、
静電容量式タッチセンサシステムは、
第１の制御部における第３のチャネルと第１のセンサ列における第１のディスクリートセンサ素子及び第１のセンサ列における第２のディスクリートセンサ素子とを電気的に結合させる第３の信号線をさらに備える、請求項９に記載の静電容量式タッチセンサシステム。
【請求項１１】
第２のセンサ列は第１のディスクリートセンサ素子及び第２のディスクリートセンサ素子を備えており、
第１の制御部における複数のチャネルは第４のチャネルを備えており、
前記静電容量式タッチセンサシステムは、
第１の制御部における第４のチャネルと第２のセンサ列における第１のディスクリートセンサ素子及び第２のセンサ列における第２のディスクリートセンサ素子とを電気的に結合させる第４の信号線をさらに備える、請求項１０に記載の静電容量式タッチセンサシステム。
【請求項１２】
複数のチャネルを有する第２の制御部をさらに備え、
第１のセンサ列は第１のディスクリートセンサ素子及び第２のディスクリートセンサ素子を備えており、
第２の制御部における複数のチャネルは第１のチャネルを備えており、
前記静電容量式タッチセンサシステムは、
第２の制御部における第１のチャネルと第１のセンサ列における第１のディスクリートセンサ素子及び第１のセンサ列における第２のディスクリートセンサ素子とを電気的に結合させる第３の信号線をさらに備える、請求項９に記載の静電容量式タッチセンサシステム。
【請求項１３】
第２のセンサ列は第１のディスクリートセンサ素子及び第２のディスクリートセンサ素子を備えており、
第２の制御部における複数のチャネルは第２のチャネルを備えており、
前記静電容量式タッチセンサシステムは、
第２の制御部における第２のチャネルと第２のセンサ列における第１のディスクリートセンサ素子及び第２のセンサ列における第２のディスクリートセンサ素子とを電気的に結合させる第４の信号線をさらに備える、請求項１２に記載の静電容量式タッチセンサシステム。
【請求項１４】
前記第１及び第２のディスクリートセンサ素子は透明な導体材料から形成され、
前記透明な導体材料は酸化インジウムスズであり、
前記透明な導体材料は、複数のディスクリートセンサ素子からなるディスクリートセンサ素子の第１のセットと複数のセンサ素子からなるセンサ素子の第２のセットとを形成し、
ディスクリートセンサ素子の第１のセットにおける各ディスクリートセンサ素子は、第１の方向に沿って直列に接続されているひと続きの複数のひし形を備えており、
ディスクリートセンサ素子の第２のセットにおける各ディスクリートセンサ素子は、第２の方向に沿って直列に接続されているひと続きの複数のひし形を備えており、
ディスクリートセンサ素子の第１のセットとディスクリートセンサ素子の第２のセットは、複数のひし形からなる２次元配列を形成するように重ね合わさる関係に配置されており、
ディスクリートセンサ素子の第１のセットとディスクリートセンサ素子の第２のセットは、互いから電気的に絶縁されている、請求項１に記載の静電容量式タッチセンサシステム。
【請求項１５】
タッチディスプレイシステムにおいて、
複数のチャネルを有する制御部と、
ディスプレイと、
ディスプレイの上に位置し第１の方向に沿って延びる第１のセンサ行であって、第１のディスクリートセンサ素子と第２のディスクリートセンサ素子とを有する第１のセンサ行と、
ディスプレイの上に位置し第１の方向に沿って延びる第２のセンサ行であって、第１のディスクリートセンサ素子と第２のディスクリートセンサ素子とを有する第２のセンサ行と、
ディスプレイの上に位置し第２の方向に沿って延びる第１のセンサ列と、
ディスプレイの上に位置し第２の方向に沿って延びる第２のセンサ列と、
制御部における複数のチャネルのうちの第１のチャネルと第１のセンサ行における第１のディスクリートセンサ素子及び第１のセンサ行における第２のディスクリートセンサ素子とを電気的に結合させる第１の信号線と、を備えるシステム。